(57)【要約】本発明は底に支持されるように形成される脚モジュールと、前記脚モジュールの上側に配置され、使用者の体を支持するように形成されるシートモジュールと、前記脚モジュールと前記シートモジュールとを連結し、前記シートモジュールに座った使用者の両側への動きによって前記脚モジュールを基準として前記シートモジュールを使用者の両側方にスイング運動させるように構成されるスイングモジュールを含み、前記スイングモジュールは、前記脚モジュールに結合される下部固定ユニットと、前記シートモジュールに結合される上部移動ユニットと、前記下部固定ユニットに回転可能に連結される下部連結端及び前記上部移動ユニットに回転可能に連結される上部連結端を備え、前記下部固定ユニットに対して前記上部移動ユニットがスイング作動するようにするリンクユニットとを含む、スイング運動機能を有する椅子及びそれに用いられるスイングモジュールを提供する。【選択図】          図１
2020500668.tif 000002
【特許請求の範囲】
【請求項１】
底に支持されるように形成される脚モジュールと、
前記脚モジュールの上側に配置され、使用者の体を支持するように形成されるシートモジュールと、
前記脚モジュールと前記シートモジュールとを連結し、前記シートモジュールに座った使用者の両側への動きによって前記脚モジュールを基準として前記シートモジュールを使用者の両側方にスイング運動させるように構成されるスイングモジュールとを含み、
前記スイングモジュールは、前記脚モジュールに結合される下部固定ユニットと、前記シートモジュールに結合される上部移動ユニットと、前記下部固定ユニットに回転可能に連結される下部連結端及び前記上部移動ユニットに回転可能に連結される上部連結端を備え、前記下部固定ユニットに対して前記上部移動ユニットがスイング作動するようにするリンクユニットとを含む、スイング運動機能を有する椅子。
【請求項２】
前記下部連結端は、
前記上部連結端より前記シートモジュールに近く位置し、前記スイング作動中に前記上部移動ユニットが前記脚モジュールから遠くなるほど高さが上昇されるようにする、請求項１に記載のスイング運動機能を有する椅子。
【請求項３】
前記リンクユニットは、
互いに平行に配置される一対のサブリンクを含み、前記スイング作動中に前記上部移動ユニットが平行状態を保持するようにする、請求項１に記載のスイング運動機能を有する椅子。
【請求項４】
前記上部移動ユニットは、
前記シートモジュールと結合される上部ベースと、
前記上部ベースで折曲延長される羽とを含み、
前記上部連結端は前記羽に連結される、請求項１に記載のスイング運動機能を有する椅子。
【請求項５】
前記羽は、互いに対向する一対のサブ羽で構成され、
前記リンクユニットは、
前記一対のサブ羽の中の一つに対面するように配置される一対の第１サブリンクと、
前記一対のサブ羽の中の他の一つに対面するように配置される一対の第２サブリンクとを含む、請求項４に記載のスイング運動機能を有する椅子。
【請求項６】
前記下部固定ユニットは、
前記脚モジュールと結合される下部ベースと、
前記下部ベースに固定され、前記一対の第１サブリンク中の一つ及び前記一対の第２サブリンクの中の一つに回転可能に連結されるピボットロッドとを含む、請求項５に記載のスイング運動機能を有する椅子。
【請求項７】
前記リンクユニットは、
前記羽と前記上部連結端との間の回転可能な連結のために配置されるスラストベアリングをさらに含む、請求項４に記載のスイング運動機能を有する椅子。
【請求項８】
前記スイングモジュールは、
前記上部移動ユニットと前記下部固定ユニットとの間のスイング作動を停止させる停止ユニットをさらに含む、請求項１に記載のスイング運動機能を有する椅子。
【請求項９】
前記停止ユニットは、
前記下部固定ユニットに設置され、回転操作されるように構成される操作レバーと、
前記操作レバーに設置され、係合部を備える係合片と、
前記上部移動ユニットに設置され、前記操作レバーが回転操作されることによって前記係合部に係合される係止片とを含む、請求項８に記載のスイング運動機能を有する椅子。
【請求項１０】
前記スイングモジュールは、
前記上部移動ユニットと前記下部固定ユニットとの間のスイング作動の範囲を制限する制限ユニットをさらに含む、請求項１に記載のスイング運動機能を有する椅子。
【請求項１１】
前記制限ユニットは、
前記下部固定ユニットに設置される第１係止片と、
前記スイング作動による前記第１係止片の移動軌跡に位置するように前記上部移動ユニットに設置されて、前記スイング作動中に前記第１係止片に係止される第２係止片とを含む、請求項１０に記載のスイング運動機能を有する椅子。
【請求項１２】
前記シートモジュールは、
前記上部移動ユニットに結合され、使用者の臀部を支持するヒップシートと、
前記ヒップシートの側方に位置し、前記下部固定ユニットに設置される肘掛とを含む、請求項１に記載のスイング運動機能を有する椅子。
【請求項１３】
前記シートモジュールは、
下部に突出されたテンションバーを備え、使用者の背中を支持するバックシートを含み、
前記上部移動ユニットは、
前記テンションバーと結合されて、前記バックシートのティルティングを支持する固定ブラケットを含む、請求項１に記載のスイング運動機能を有する椅子。
【請求項１４】
椅子の脚モジュールに結合されるように構成される下部固定ユニットと、
前記椅子のシートモジュールに結合されるように構成される上部移動ユニットと、
前記下部固定ユニットに回転可能に連結される下部連結端及び前記上部移動ユニットに回転可能に連結される上部連結端を備え、前記下部固定ユニットに対して前記上部移動ユニットがスイング作動するようにするリンクユニットとを含み、
前記下部連結端は、前記脚モジュールから前記上部連結端より遠く位置し、
前記リンクユニットは、互いに平行に配置される一対のサブリンクを含み、前記スイング作動中に前記上部移動ユニットが平行状態を保持するようにする、スイング運動機能を有する椅子に用いられるスイングモジュール。
【請求項１５】
前記上部移動ユニットは、
前記シートモジュールと結合される上部ベースと、
前記上部ベースで折曲延長され、互いに対向する一対のサブ羽とを含み、
前記リンクユニットは、
前記一対のサブ羽の中の一つに対面するように配置される一対の第１サブリンクと、
前記一対のサブ羽の中の他の一つに対面するように配置される一対の第２サブリンクとを含み、
前記一対の第１サブリンクの上部連結端のそれぞれは前記一対の羽の中の一つに連結され、前記一対の第２サブリンクの上部連結端のそれぞれは前記一対の羽の中の他の一つに連結される、請求項１４に記載のスイング運動機能を有する椅子に用いられるスイングモジュール。
【発明の詳細な説明】
【技術分野】
【０００１】
本発明はスイング運動機能を有する椅子及びそれに用いられるスイングモジュールに関するものである。
【背景技術】
【０００２】
一般に、多くの会社員や学生などは一日中食事の時間を除いて大部分の時間を椅子に座ったまま過ごす。このような生活の環境により人々は普通数十分から数時間を腰が固定された姿勢を保持したりする。
【０００３】
人々は椅子に座った姿勢で長くいれば、肩、腰、骨盤周辺の筋肉がこちこちになる。特に、姿勢の習慣が正しくない方であれば、上記の症状はより深刻に現われることがある。このような症状は慢性的な骨盤痛症、腰痛、肩凝りにつながる虞がある。
【０００４】
このような問題を解決するためには、一つの場所に長く座っていないで頻繁に起きてストレッチングをするなどとして体をくつろぐことが原則論的な解決策である。
【０００５】
しかしながら、会社員は仕事をしたり学生は授業を受ける状況で、頻繁に起きてストレッチングなどで体をくつろぐことはほとんど不可能である。そのため、座った姿勢で運動ができるようにして上の症状を予防することができる現実的な対策が必要である。
【発明の概要】
【発明が解決しようとする課題】
【０００６】
本発明の目的は、会社員や学生などが椅子に座って仕事や勉強のための姿勢を保持しながらも体の主要部分を運動させることができるようにする、スイング運動機能を有する椅子及びそれに用いられるスイングモジュールを提供することにある。
【課題を解決するための手段】
【０００７】
前述した課題を実現するための本発明の一側面によるスイング運動機能を有する椅子は、底に支持されるように形成される脚モジュールと、前記脚モジュールの上側に配置され、使用者の体を支持するように形成されるシートモジュールと、前記脚モジュールと前記シートモジュールとを連結し、前記シートモジュールに座った使用者の両側への動きによって前記脚モジュールを基準として前記シートモジュールを使用者の両側方にスイング運動させるように構成されるスイングモジュールとを含み、前記スイングモジュールは、前記脚モジュールに結合される下部固定ユニットと、前記シートモジュールに結合される上部移動ユニットと、前記下部固定ユニットに回転可能に連結される下部連結端及び前記上部移動ユニットに回転可能に連結される上部連結端を備え、前記下部固定ユニットに対して前記上部移動ユニットがスイング作動するようにするリンクユニットとを含むことができる。
【０００８】
ここで、前記下部連結端は、前記上部連結端より前記シートモジュールに近く位置し、前記スイング作動中に前記上部移動ユニットが前記脚モジュールから遠くなるほど高さが上昇されるようにすることができる。
【０００９】
ここで、前記リンクユニットは、互いに平行に配置される一対のサブリンクを含み、前記スイング作動中に前記上部移動ユニットが平行状態を保持するようにすることができる。
【００１０】
ここで、前記上部移動ユニットは、前記シートモジュールと結合される上部ベースと、前記上部ベースで折曲延長される羽とを含み、前記上部連結端は前記羽に連結されることができる。
【００１１】
ここで、前記羽は、互いに対向する一対のサブ羽で構成され、前記リンクユニットは、前記一対のサブ羽の中の一つに対面するように配置される一対の第１サブリンクと、前記一対のサブ羽の中の他の一つに対面するように配置される一対の第２サブリンクとを含むことができる。
【００１２】
ここで、前記下部固定ユニットは、前記脚モジュールと結合される下部ベースと、前記下部ベースに固定され、前記一対の第１サブリンクの中の一つ及び前記一対の第２サブリンクの中の一つに回転可能に連結されるピボットロッドとを含むことができる。
【００１３】
ここで、前記リンクユニットは、前記羽と前記上部連結端との間の回転可能な連結のために配置されるスラストベアリングをさらに含むことができる。
【００１４】
ここで、前記スイングモジュールは、前記上部移動ユニットと前記下部固定ユニットとの間のスイング作動を停止させる停止ユニットをさらに含むことができる。
【００１５】
ここで、前記停止ユニットは、前記下部固定ユニットに設置され、回転操作されるように構成される操作レバーと、前記操作レバーに設置され、係合部を備える係合片と、前記上部移動ユニットに設置され、前記操作レバーが回転操作されることによって前記係合部に係合される係止片とを含むことができる。
【００１６】
ここで、前記スイングモジュールは、前記上部移動ユニットと前記下部固定ユニットとの間のスイング作動の範囲を制限する制限ユニットをさらに含むことができる。
【００１７】
ここで、前記制限ユニットは、前記下部固定ユニットに設置される第１係止片と、前記スイング作動による前記第１係止片の移動軌跡に位置するように前記上部移動ユニットに設置されて、前記スイング作動中に前記第１係止片に係止される第２係止片を含むことができる。
【００１８】
ここで、前記シートモジュールは、前記上部移動ユニットに結合され、使用者の臀部を支持するヒップシートと、前記ヒップシートの側方に位置し、前記下部固定ユニットに設置される肘掛とを含むことができる。
【００１９】
ここで、前記シートモジュールは、下部に突出されたテンションバーを備え、使用者の背中を支持するバックシートを含み、前記上部移動ユニットは、前記テンションバーと結合されて前記バックシートのティルティングを支持する固定ブラケットを含むことができる。
【００２０】
本発明の他の一側面によるスイング運動機能を有する椅子に用いられるスイングモジュールは、椅子の脚モジュールに結合されるように構成される下部固定ユニットと、前記椅子のシートモジュールに結合されるように構成される上部移動ユニットと、前記下部固定ユニットに回転可能に連結される下部連結端と前記上部移動ユニットに回転可能に連結される上部連結端を備え、前記下部固定ユニットに対して前記上部移動ユニットがスイング作動するようにするリンクユニットとを含み、前記下部連結端は、前記脚モジュールから前記上部連結端より遠く位置することができる。
【００２１】
ここで、前記リンクユニットは、互いに平行に配置される一対のサブリンクを含み、前記スイング作動中に前記上部移動ユニットが平行状態を保持することができる。
【００２２】
ここで、前記上部移動ユニットは、前記シートモジュールと結合される上部ベースと、前記上部ベースで折曲延長され、互いに対向する一対のサブ羽を含み、前記リンクユニットは、前記一対のサブ羽の中の一つに対面するように配置される一対の第１サブリンクと、前記一対のサブ羽の中の他の一つに対面するように配置される一対の第２サブリンクとを含み、前記一対の第１サブリンクの上部連結端それぞれは前記一対の羽の中の一つに連結され、前記一対の第２サブリンクの上部連結端それぞれは前記一対の羽の中の他の一つに連結されることができる。
【発明の効果】
【００２３】
前記のように構成される本発明によるスイング運動機能を有する椅子及びそれに用いられるスイングモジュールによれば、椅子に座った人が臀部を両側方に動けばスイングモジュールが作動してシートモジュールが脚モジュールを基準として両側方へスイング運動をする。それにより、使用者は座った姿勢を保持しながら骨盤、腰、臀部、腹部などを運動させることができる。
【００２４】
この時、頭や胸、そして脚などの体の上部及び下部はほとんどその場を保持するので、使用者は仕事や勉強のための基本姿勢を安定的に保持することができる。
【００２５】
また、スイングモジュールの上部移動ユニット及び下部固定ユニットに対するリンクユニットの結合方式によって、シートモジュールはスイング作動中にも常に水平状態を保持する。それによって、使用者はスイング運動中に常に正しい姿勢を保持することができ、体が傾くことによる不安感を解消することができる。
【図面の簡単な説明】
【００２６】
【図１】本発明の第１実施例によるスイング運動機能を有する椅子１００に対する組み立て斜視図である。
【図２】図１のスイング運動機能を有する椅子１００に対する分解斜視図である。
【図３】図２のスイングモジュール１５０を他の角度で見た組み立て斜視図である。
【図４】図２のスイングモジュール１５０に対する分解斜視図である。
【図５】図２のスイングモジュール１５０のスイング作動による一状態を示した側面図である。
【図６】図２のスイングモジュール１５０のスイング作動による他の状態を示した側面図である。
【図７】図１のスイング運動機能を有する椅子１００を使用者が使用する使用状態図である。
【図８】図１のスイング運動機能を有する椅子１００の使用によって使用者の腰の運動モーションを説明するための概念図である。
【図９】図１のスイング運動機能を有する椅子１００の使用によって使用者の骨盤の運動モーションを説明するための概念図である。
【図１０】本発明の第２実施例によるスイング運動機能を有する椅子２００におけるスイングモジュール２５０に対する分解斜視図である。
【図１１】図１０の下部固定ユニット２５５を中心とする主要部を示した部分組み立て斜視図である。
【図１２】図１１の主要部を底面側で見た部分分解斜視図である。
【図１３】本発明の第２実施例によるスイング運動機能を有する椅子２００の上部移動ユニット２５１とシートモジュール２３０との関係を示した結合斜視図である。
【発明を実施するための形態】
【００２７】
以下、本発明の好ましい実施例によるスイング運動機能を有する椅子及びそれに用いられるスイングモジュールに対して添付図面を参照して詳しく説明する。本明細書では違う実施例でも同一・類似する構成に対しては同一・類似する参照番号を付与し、その説明は最初の説明で代替する。
【００２８】
図１は本発明の第１実施例によるスイング運動機能を有する椅子１００に対する組み立て斜視図であり、図２は図１のスイング運動機能を有する椅子１００に対する分解斜視図である。
【００２９】
本図面によれば、スイング運動機能を有する椅子１００は、大きく脚モジュール１１０、シートモジュール１３０、及びスイングモジュール１５０を含むことができる。
【００３０】
脚モジュール１１０は底に対して支持されるように形成される。脚モジュール１１０は、本実施例では、支柱１１１と、枝杆１１３とを有する。支柱１１１は高さ方向に延長されるロッドであってもよい。枝杆１１３は支柱１１１で放射状に広がるように複数のロッドで構成されることができる。枝杆１１３の代りにプレート形態の拡張板が備えられることもできる。枝杆１１３の下端にはキャスタ１１４が結合されることができる。
【００３１】
シートモジュール１３０は脚モジュール１１０の上側に位置し、使用者の体を支持するように構成される。本実施例で、シートモジュール１３０はヒップシート１３１、バックシート１３３及び肘掛１３５を含むことができる。ヒップシート１３１は使用者の臀部を支持する部分で、底に対して平行に配置されることができる。バックシート１３３はヒップシート１３１の後段に連結されて使用者の背中を支持するように構成される。肘掛１３５はヒップシート１３１で使用者の両側方に配置されることができる。勿論、このようなバックシート１３３及び／または肘掛１３５のない椅子１００を構成することも可能である。
【００３２】
スイングモジュール１５０は脚モジュール１１０とシートモジュール１３０との間に配置されて、それらを連結する構成である。スイングモジュール１５０はシートモジュール１３０、具体的にヒップシート１３１に座った使用者の両側への動きによってシートモジュール１３０が脚モジュール１１０を基準として使用者の両側方にスイング作動するように構成される。
【００３３】
スイングモジュール１５０は、上部移動ユニット１５１と、下部固定ユニット１５５と、リンクユニット１５８とを含むことができる。
【００３４】
上部移動ユニット１５１はシートモジュール１３０のヒップシート１３１の下端に結合されることができる。これと違って、下部固定ユニット１５５は脚モジュール１１０の上端に結合されることができる。リンクユニット１５８は上部移動ユニット１５１及び下部固定ユニット１５５のそれぞれに回転可能に結合になる。具体的に、リンクユニット１５８の一端は上部移動ユニット１５１に、他端は下部固定ユニット１５５に結合される。
【００３５】
具体的に、リンクユニット１５８の下端が上部移動ユニット１５１に結合され、リンクユニット１５８の上端が下部固定ユニット１５５に結合されることによって、スイング運動の中心はリンクユニット１５８の上端になる。その結果、リンクユニット１５８の下端はスイング作動の軌跡ＳＯＴ（図３参照）に沿って移動する。このようなスイング作動によって、上部移動ユニット１５１、ひいてはシートモジュール１３０は前記スイング作動中に脚モジュール１１０で両側方に遠くなるほどその高さが上昇する。
【００３６】
また、リンクユニット１５８は４つ（サブリンク）で構成されることができる（図４参照）。このような４つのリンクユニット１５８（サブリンク）は整列ラインＬを基準として対称的に配置されることができる。
【００３７】
このような構成によれば、リンクユニット１５８のスイング中心がスイング作動の軌跡ＳＯＴの上側に位置するようになるので、シートモジュール１３０に力を加えない状態でシートモジュール１３０は自重によって支柱１１１に従う整列ラインＬに整列された待機位置に置かれるようになる。
【００３８】
また、シートモジュール１３０が使用者の右側方ＲＳ及び左側方ＬＳにスイング作動するほど、シートモジュール１３０は脚モジュール１１０から遠くなるようになる。それによって、使用者が整列ラインＬに位置した状態で左右に臀部を振る初期段階で体が沈まない。それによって、使用者はその初期段階に落下に対する不安感がなくなる。
【００３９】
以下、スイングモジュール１５０の具体的な構成を図３及び図４を参照して説明する。
【００４０】
図３は図２のスイングモジュール１５０を他の角度で見た組み立て斜視図であり、図４は図２のスイングモジュール１５０に対する分解斜視図である。
【００４１】
本図面によれば、上部移動ユニット１５１は、上部ベース１５２、羽１５３ａ及び１５３ｂを有することができる。上部ベース１５２はシートモジュール１３０のヒップシート１３１（図１）に結合される部分である。このために、上部ベース１５２は略平板状の上板を有することができる。羽１５３ａ及び１５３ｂは上部ベース１５２で折曲されて脚モジュール１１０を向けた方向に延長されることができる。本実施例で、羽１５３ａ及び１５３ｂは一対のサブ羽１５３ａ及び２５３ｂを有する。このような第１サブ羽１５３ａ及び第２サブ羽２５３ｂは上部ベース１５２に対して略垂直するように配置されることができる。
【００４２】
下部固定ユニット１５５は下部ベース１５６とピボットロッド１５７を含むことができる。下部ベース１５６は脚モジュール１１０（図１）に結合されるもので、略平板状を有することができる。下部ベース１５６は上部ベース１５２と羽１５３ａ及び１５３ｂによって限定された空間内に配置されることができる。
【００４３】
ピボットロッド１５７は下部ベース１５６に設置される部材である。ピボットロッド１５７はリンクユニット１５８の上端が回転可能に結合される対象になる。本実施例で、リンクユニット１５８が４つのサブリンク１５９及び１６１で構成されることによって、ピボットロッド１５７は２つ備えられる。２つのピボットロッド１５７は整列ラインＬ（図１参照）を基準として互いに対称するように配置されることができる。
【００４４】
リンクユニット１５８は上部ベース１５２と下部ベース１５６に両端がそれぞれ連結される部材である。リンクユニット１５８は、複数のサブリンクを含むことができる。具体的に、本実施例で、リンクユニット１５８は、一対の第１サブリンク１５９｛「一対のサブリンク」とも言う｝と、また他の一対の第２サブリンク１６１｛「他の一対のサブリンク」とも言う｝を有することができる。一対の第１サブリンク１５９が第１サブ羽１５３ａを対面したまま互いに平行に配置されるのであれば、一対の第２サブリンク１６１は第２サブ羽１５３ｂを対面したまま互いに平行に配置されるのである。この時、例えば、一対の第１サブリンク１５９の中の一つと一対の第２サブリンク１６１の中の一つは一つのピボットロッド１５７によって互いに連結される。
【００４５】
リンクユニット１５８、例えば第１サブリンク１５９は上部連結端１５９ａと下部連結端１５９ｂを有することができる。ここで、上部連結端１５９ａは図面で第１サブリンク１５９の下端であり、下部連結端１５９ｂは図面で第１サブリンク１５９の上端である。上部連結端１５９ａは上部移動ユニット１５１に対して回転可能に連結され、下部連結端１５９ｂは下部固定ユニット１５６に対して回転可能に連結される。第１サブリンク１５９の上部連結端１５９ａは第１サブ羽１５３ａの下部に連結される。第１サブリンク１５９の下部連結端１５９ｂはピボットロッド１５７に連結される。それによって、下部連結端１５９ｂは脚モジュール１１０（図１）から上部連結端１５９ａより遠く（底でより高く）位置するようになる。
【００４６】
リンクユニット１５８の上部連結端１５９ａ及び１６１ａと羽１５３ａ及び１５３ｂとの間の連結、そして下部連結端１５９ｂ及び１６１ｂと下部ベース１５６との間の回転可能な連結にはスラストベアリング１５９ｃ及び１６１ｃが用いられることができる。スラストベアリング１５９ｃ及び１６１ｃはスイング作動の軌跡ＳＯＴ（図３）に沿うリンクユニット１５８の回転が円滑に行われるようにする。また、スラストベアリング１５９ｃ及び１６１ｃはスイング作動の軌跡ＳＯＴが位置する平面に垂直した方向に加えられる力によってリンクユニット１５８と上部移動ユニット１５１／下部固定ユニット１５５との間の遊び（ｐｌａｙ）が発生しないようにする。
【００４７】
次に、以上のスイング運動機能を有する椅子１００を通じて使用者がスイング運動することができるようにするメカニズムに対して図５〜図７を参照して説明する。
【００４８】
図５は図２のスイングモジュール１５０のスイング作動による一状態を示した側面図であり、図６は図２のスイングモジュール１５０のスイング作動による他の状態を示した側面図である。
【００４９】
本図面によれば、使用者が臀部を両側方に動くことによってスイングモジュール１５０がスイング作動する場合、下部固定ユニット１５５は常にその場所に位置する一方、上部移動ユニット１５１は下部固定ユニット１５５の左側または右側に移動するようになる。上部移動ユニット１５１は下部固定ユニット１５５の真上に位置する待機位置でより両側方に移動した状態で、高さ方向に下部固定ユニット１５５からより遠く位置するようになる。
【００５０】
このようなスイング作動中に、互いに平行する一対のサブリンク１５９／１６１はその平行な配置状態がそのまま保持される。それによって、上部移動ユニット１５１の上面は平行状態を保持するようになる。これは上部移動ユニット１５１に設置されるヒップシート１３１も平行状態を保持することができるようにする。
【００５１】
図７は図１のスイング運動機能を有する椅子１００を使用者が用いる使用状態図である。
【００５２】
本図面（及び図１）によれば、使用者はシートモジュール１３０に座ったまま臀部を右側方ＲＳまたは左側方ＬＳｂに振ることができる。
【００５３】
それによって、スイングモジュール１５０はスイング作動をすることになって、シートモジュール１３０は右側方ＲＳまたは左側方ＬＳに移動することになる。このような移動中に使用者の体で中間（ｃｏｒｅ）  部分（腰、臀部、及び骨盤など）は左右にスイング運動されるが、上部（頭及び胸など）及び下部分（脚など）は正しく立った姿勢に保持される。
【００５４】
また、シートモジュール１３０は待機位置で右側方ＲＳまたは左側方ＬＳにスイング運動することによって、シートモジュール１３０も底から上昇するスイング運動の軌跡ＳＥＴに沿って移動するようになる。シートモジュール１３０は上昇中にもその平行状態はそのまま保持するので、使用者の体が全体的に傾かなくなる。
【００５５】
さらに、使用者が臀部を振らなくなれば、スイングモジュール１５０は重力によって待機位置に復帰される。
【００５６】
図８は図１のスイング運動機能を有する椅子１００の使用によって使用者の腰の運動モーションを説明するための概念図である。
【００５７】
本図面によれば、スイングモジュール１５０のスイング作動によって、シートモジュール１３０は左右に約左右７０ｍｍ変位されて、総１４０ｍｍの範囲でスイングされることができる。この時、左／右最大変位地点である７０ｍｍに到達時、シートモジュール１３０は約１８ｍｍ程度上昇されることができる。
【００５８】
この過程で、使用者の腰は左／右に最大１５゜程度ひねられることができる。それによって、腰が最大３０゜の範囲で左右にひねられることになる。それによって、使用者がシートモジュール１３０に座っているうちに左右に搖れることなく保持された腰の硬直状態は解消されることができる。
【００５９】
具体的に、使用者は自分の両側方ＲＳ及びＬＳに臀部を振って、シートモジュール１３０と一緒に自分の臀部、わき腹、骨盤、太もも、腰、胃膓器官などがスイング運動することができる。使用者のこのようなスイング運動は主に臀部と腰部分が左右にスイングされることによる。
【００６０】
そこで、使用者の胸、肩、頭などは相対的に動きがほとんどない。また、臀部などの主に動く部分は机によって隠れるので、スイング運動をしているという事実を他人にほとんど現わさないことができる。
【００６１】
図９は図１のスイング運動機能を有する椅子１００の使用によって使用者の骨盤の運動モーションを説明するための概念図である。
【００６２】
本図面によれば、スイングモジュール１５０の作用によってシートモジュール１３０が左右に変位される時、使用者の太もも、具体的に骨盤は約２０゜の範囲で内側、外側に回転することになる。
【００６３】
このような骨盤の開き、閉まりによって、使用者がシートモジュール１３０にじっと座っている場合に比べて骨盤のゆがみが防止されることができる。
【００６４】
以下、以上のスイングモジュール１５０の他の形態について図１０〜図１２を参照して説明する。
【００６５】
図１０は本発明の第２実施例によるスイング運動機能を有する椅子２００におけるスイングモジュール２５０に対する分解斜視図であり、図１１は図１０の下部固定ユニット２５５を中心とする主要部を示した部分組み立て斜視図である。
【００６６】
本図面によれば、スイング運動機能を有する椅子２００は、前述した実施例のスイング運動機能を有する椅子１００と略同一であるが、スイングモジュール２５０で差がある。具体的に、スイングモジュール２５０も前述したスイングモジュール１５０に比べて、上部移動ユニット２５１、下部固定ユニット２５５、及びリンクユニット２５８の基本構成は大体同じである。ただ、スイングモジュール２５０は前述したスイングモジュール１５０に比べて、停止ユニット２６３及び制限ユニット２６５をさらに含むことができる。また、シートモジュール２３０は前記シートモジュール１３０と異なる形態の肘掛２３５を有する。以下では、前述した実施例との差異を中心に、本実施例によるスイングモジュール２５０などを説明する。
【００６７】
まず、停止ユニット２６３は上部移動ユニット２５１と下部固定ユニット２５５との間のスイング作動を停止させるための構成である。停止ユニット２６３は、操作レバー２６３ａ、係合片２６３ｂ、及び係止片２６３ｃを含むことができる。操作レバー２６３ａは略直線状に延長されるロッドで、下部固定ユニット２５５の下部ベース２５６に回転可能に挿入設置されることができる。操作レバー２６３ａの自由端側の一部分は使用者の操作便宜のために折曲されることができる。係合片２６３ｂは操作レバー２６３ａに結合されたまま下部ベース２５６の上面側に位置する。係合片２６３ｂには係合部、例えば挿入溝２６３ｂ`が形成されることができる。係止片２６３ｃは上部移動ユニット２５１の上部ベース２５２の上板に設置されることができる。このような係止片２６３ｃは上部ベース２５２の上板の一部分が折曲加工されて下部ベース２５６に向けて突出されたものであってもよい。このような構成によって、使用者が操作レバー２６３ａを回転操作すれば、係合片２６３ｂは下部ベース２５６に倒れた姿勢から立つ姿勢に転換される。この過程で、係合片２６３ｂの係合部２６３ｂ`には係止片２６３ｃが差し込まれる。それによって、上部移動ユニット２５１の上部ベース２５６がスイング作動の軌跡に沿って動こうとする時、係止片２６３ｃは係合片２６３ｂに係合されるので動くことができない。その結果、係止片２６３ｃに形成された上部ベース２５２も動くことができずその位置に固定される。それによって、スイングモジュール２５０の作動は停止されるので、使用者は椅子２００｛シートモジュール２３０｝を踏んで立っても電球を取り替るなどの場合椅子２００を安全に使用することができる。
【００６８】
制限ユニット２６５は上部移動ユニット２５１と下部固定ユニット２５５との間のスイング作動の範囲を制限するための構成である。制限ユニット２６５は第１係止片２６５ａ及び２６５ｂと、第２係止片を有することができる。第１係止片２６５ａ及び２６５ｂは下部ベース２５６の上面で突出形成される突起である。本実施例で第１係止片はスイング作動の軌跡に沿って離隔された位置に２つの突起２６５ａ及び２６５ｂで形成されることができる。第２係止片は上部移動ユニット２５１の上部ベース２５２の底面に設置されて２つの突起２６５ａ及び２６５ｂの間に配置されることができる。このような第２係止片としては前述した係止片２６３ｃが再利用されてもよい。それによって、係止片２６３ｃは一つの部材であるが、係合片２６３ｂが立てられた場合には係合片２６３ｂに係合され、係合片２６３ｂが倒れた場合には第１係止片２６５ａ及び２６５ｂに係止されることができる。このような構成によれば、使用者が臀部を両側方に振る過程で第２係止片として係止片２６３ｃは第１係止片の２つの突起２６５ａ及び２６５ｂに係止される。それによって、下部固定ユニット２５５に対する上部移動ユニット２５１のスイング運動範囲が制限されることができる。これはシートモジュール２３０を取って椅子２００を移動させる過程でシートモジュール２３０のスイング運動による使用者の不便を減らすことができる。
【００６９】
シートモジュール２３０の肘掛２３５はヒップシート１３１（図２参照）ではない、スイングモジュール２５０に設置されることができる。具体的に、肘掛２３５は下部固定ユニット２５５の下部ベース２５６に設置されることができる。これに対しては図１２をさらに参照して説明する。
【００７０】
図１２は図１１の主要部を底面側で見た部分分解斜視図である。
【００７１】
さらに本図面によれば、下部ベース２５６には設置溝２５６ａが形成されることができる。このような設置溝２５６ａは作業者の視野を確保するために外部に露出された形態を有することができる。具体的に、設置溝２５６ａはパイプがそれの軸方向に沿って切断されたのと同じ形態を有することができる。
【００７２】
肘掛２３５は設置溝２５６ａに位置したまま下部ベース２５６に結合される。肘掛２３５は、具体的にフレーム２３５ａと締結ピース２３５ｃを含むことができる。フレーム２３５ａは中空管体であってもよい。フレーム２３５ａは下部ベース２５６の側方に延長された後上方に折曲されて延長され、さらにバックシート１３３（図１参照）に向けて後方に延長される形態を有することができる。フレーム２３５ａの端区間には切開溝２３５ｂが形成されることができる。切開溝２３５ｂはフレーム２３５ａの一端部から始まってフレーム２３５ａの長さ方向に沿って前記端区間に延長形成される。締結ピース２３５ｃは下部ベース２５６の設置溝２５６ａに形成された締結溝２５６ｂに締結される。このために、締結ピース２３５ｃは設置溝２５６ａの延長方向に垂直方向に沿って配置されることができる。フレーム２３５ａが設置溝２５６ａの長さ方向に沿って移動する時、切開溝２３５ｂは締結ピース２３５ｃが挿入される通路となる。また、締結ピース２３５ｃのヘッドとフレーム２３５ａとの間にはワッシャー２３５ｄが配置されることができる。ワッシャー２３５ｄは締結ピース２３５ｃとフレーム２３５ａとの間の結合力を高めるもので、フレーム２３５ａの外面に対応した形状を有することができる。
【００７３】
このような構成によれば、肘掛２３５が下部固定ユニット２５５に設置されるので、上部移動ユニット２５１及びヒップシート１３１（図１参照）がスイング作動によって左右に搖れる場合にも使用者の腕は肘掛２３５に固定的に支持されることができる。それによって腕を載せる机がない状況で椅子２００を利用してスイング運動をする場合にも、使用者の腕は動かなくてもよい。さらに、取っ手２３５の設置構造によれば、フレーム２３５ａを下部ベース２５６に熔接する必要なしに締結ピース２３５ｃで着脱可能に締結可能である。この場合、フレーム２３５ａと下部ベース２５６との間の結合が安定的に保持されながらも、肘掛２３５を必要によって容易に取り替えることもできる。
【００７４】
最後に、上部移動ユニット２５１とバックシート２３３との間の結合関係について図１３を参照して説明する。
【００７５】
図１３は本発明の第２実施例によるスイング運動機能を有する椅子２００の上部移動ユニット２５１とシートモジュール２３０との関係を示した結合斜視図である。
【００７６】
本図面によれば、上部移動ユニット２５１の上部ベース２５２の裏側には固定ブラケット２５４が突出形成される。このような固定ブラケット２５４は上部ベース１５２に載せられるヒップシート（図示しない）の下側に位置する。
【００７７】
固定ブラケット２５４はバックシート２３３の下端で突出されたテンションバー２３４に結合される。固定フレーム２３４は金属材質、または強度の高いプラスチック材質で形成されることができる。
【００７８】
テンションバー２３４が固定ブラケット２５４に結合されることによって、バックシート２３３はヒップシート（図示しない）ではないスイングモジュール２５０の上部移動ユニット２５１に結合される。その結果、バックシート２３３及びヒップシート（図示しない）は上部移動ユニット２５１に結合され、肘掛２３５は下部固定ユニット２５５（以上図１０参照）に結合されることができる。
【００７９】
テンションバー２３４と固定ブラケット２５４との間の結合によって、使用者が体を後に倒した時、バックシート２３３はテンションバー２３４を中心としてティルティングされることができる。それによって、使用者はより楽な姿勢でバックシート２３３に体をもたせかけるできる。
【００８０】
前記のようなスイング運動機能を有する椅子及びそれに用いられるスイングモジュールは前述した複数の実施例の構成と作動方式に制限されるのではない。複数の前記実施例は各実施例の全部または一部が選択的に組合されて多様な変形が実施されることができるように構成されることもできる。
【産業上の利用可能性】
【００８１】
本発明はスイング運動機能を有する椅子及びそれに用いられるスイングモジュール製造分野に産業上利用可能性がある。
【図１】
2020500668.tif 000003
【図２】
2020500668.tif 000004
【図３】
2020500668.tif 000005
【図４】
2020500668.tif 000006
【図５】
2020500668.tif 000007
【図６】
2020500668.tif 000008
【図７】
2020500668.tif 000009
【図８】
2020500668.tif 000010
【図９】
2020500668.tif 000011
【図１０】
2020500668.tif 000012
【図１１】
2020500668.tif 000013
【図１２】
2020500668.tif 000014
【図１３】
2020500668.tif 000015
【国際調査報告】
2020500668.tif 000016
2020500668.tif 000017
2020500668.tif 000018
2020500668.tif 000019